(57)【要約】      （修正有）【課題】物が当たったり、踏みつけられたりした場合の衝撃を緩和したり、騒音を防止するという利点を損なうことなく、電線ケーブルの収納孔部を強度性に優れたものとし、外的な応力から十分に電線ケーブルを保護することができ、多数本の電線ケーブルや大径の電線ケーブルもその収納孔部に収納できるようにした線樋を提供する。【解決手段】線材の収納孔部１を形成した軟質性本体２と、この軟質性本体の収納孔部の内壁１ａに付設するようにした硬質性補強体３から構成したものとしている。さらに、収納孔部を軟質性本体に複数設けたものとしたり、収納孔部に開口４を形成したものとしている。【選択図】図２
2006121766.tif 000002
【特許請求の範囲】
【請求項１】
線材の収納孔部（１）を形成した軟質性本体（２）と、この軟質性本体（２）の収納孔部（１）の内壁（１ａ）に付設するようにした硬質性補強体（３）から構成したことを特徴とする線樋。
【請求項２】
前記収納孔部（１）を軟質性本体（２）に複数設けたことを特徴とする請求項１記載の線樋。
【請求項３】
前記収納孔部（１）に開口（４）を形成したことを特徴とする請求項１または２記載の線樋。
【請求項４】
前記軟質性本体（２）を断面形状が山形状とし、上面（２ａ）の頂部（ｔ）の左右に勾配面（ｓ、ｓ）を有したものとしたことを特徴とする請求項１〜３の何れかに記載の線樋。
【請求項５】
前記軟質性本体（２）を断面形状が台形状の低い山形状とし、上面（２ａ）の平面部（ｆ）の左右に勾配面（ｓ、ｓ）を有したものとしたことを特徴とする請求項１〜３の何れかに記載の線樋。
【請求項６】
前記硬質性補強体（３）を管状に形成したものとしたことを特徴とする請求項１〜５の何れかに記載の線樋。
【請求項７】
前記硬質性補強体（３）を樋状に形成したものとしたことを特徴とする請求項１〜５の何れかに記載の線樋。
【請求項８】
前記硬質性補強体（３）を長屋根状に形成したものとしたことを特徴とする請求項１〜５の何れかに記載の線樋。
【発明の詳細な説明】
【技術分野】
【０００１】
この発明は、家屋またはビル、一般事務所や展示会場の床面、壁面、建設現場の地面等に配線される電線、ケーブル、チューブなどの線材を保護するために使用される線樋に関するものである。
【背景技術】
【０００２】
従来、この種の線樋は、例えば図１１に示したように、低い山型に形成された本体部１１に、電線、ケーブルの収納孔部１２と、この孔部１２に連通すると共に底面側に開口するスリット部１３とからなる電線、ケーブルの収納部１４…を、中央の一本を大径とし、その両側に小径として、複数本設けたものが存在する（特許文献１）。
【０００３】
このように構成された従来の線樋は、合成ゴムや軟質合成樹脂で作製されているため、線樋全体が撓み易くなり、床面や地面等に敷設した場合にその敷設面に多少の段差があってもフィットすると共に、物が当たったり、踏みつけられたりした場合の衝撃を緩和したり、騒音を防止する等の利点を有している。
【特許文献１】登録実用新案第３０１１９９３号公報（第２頁、図１）
【発明の開示】
【発明が解決しようとする課題】
【０００４】
しかしながら、上記従来の線樋では、本体部１１が合成ゴムや軟質合成樹脂で作製されているため、強度性に劣り、外的な応力から十分に電線、ケーブルを保護することができないという問題点を有していた。
【０００５】
さらに、上記従来の線樋では、外的な応力から十分に電線、ケーブルを保護するには、その電線、ケーブルの収納孔部１２を小径として、本体部１１の肉厚を確保しなければならず、そのため多数本の電線、ケーブルや大径の電線、ケーブルをその収納孔部１２に収納できないという問題点を有していた。
【０００６】
そこで、この発明は、上記従来の問題点を解決することをその課題としており、物が当たったり、踏みつけられたりした場合の衝撃を緩和したり、騒音を防止するという利点を損なうことなく、電線、ケーブル、チューブなどの線材の収納孔部を強度性に優れたものとし、外的な応力から十分にこれらの線材を保護することができ、多数本の線材や大径の線材もその収納孔部に収納できるようにした線樋を提供することを目的としてなされたものである。
【課題を解決するための手段】
【０００７】
そのため、この発明の線樋は、線材の収納孔部１を形成した軟質性本体２と、この軟質性本体２の収納孔部１の内壁１ａに付設するようにした硬質性補強体３から構成したものとしている。
【０００８】
そして、この発明の線樋は、収納孔部１を軟質性本体２に複数設けたものとしている。
【０００９】
さらに、この発明の線樋は、収納孔部１に開口４を形成したものとしている。
【００１０】
また、この発明の線樋は、軟質性本体２を断面形状が山形状とし、上面２ａの頂部ｔの左右に勾配面ｓ、ｓを有したものとしている。
【００１１】
さらに、この発明の線樋は、軟質性本体２を断面形状が台形状の低い山形状とし、上面２ａの平面部ｆの左右に勾配面ｓ、ｓを有したものとしている。
【００１２】
また、この発明の線樋は、硬質性補強体３を管状に形成したものとしている。
【００１３】
さらに、この発明の線樋は、硬質性補強体３を樋状に形成したものとしている。
【００１４】
また、この発明の線樋は、硬質性補強体３を長屋根状に形成したものとしている。
【発明の効果】
【００１５】
この発明の線樋は、以上に述べたように構成されているので、物が当たったり、踏みつけられたりした場合の衝撃を緩和したり、騒音を防止するという利点を損なうことなく、線材の収納孔部が強度性に優れたものとなり、外的な応力から十分に線材を保護することができ、多数本の線材や大径の線材もその収納孔部に収納できるようになった。
【発明を実施するための最良の形態】
【００１６】
以下、この発明の線樋を実施するための最良の形態を、図面に基づいて詳細に説明する。
【００１７】
この発明の線樋は、図１〜図１０に示したように、電線、ケーブル、チューブなどの線材の収納孔部１を形成し、合成ゴムや軟質合成樹脂等からなる長尺の軟質性本体２と、この軟質性本体２の収納孔部１の内壁１ａに付設するようにした金属や硬質合成樹脂等からなる長尺の硬質性補強体３から構成したものとしている。
【００１８】
収納孔部１は、断面形状を円、楕円、長円、四角、三角などとしており、軟質性本体２の中央部に設けられており、下部または上部には必要に応じて開口４を形成したものとしている。この開口４は、収納孔部１内に線材を入れ込むために形成されたものであり、開口４を上部に形成したものでは、線樋を床面や地面等に敷設した後でも、収納孔部１内に上方から簡単に線材を入れ込むことができるものとなる。なお、収納孔部１の下部または上部には、このような開口４を設けなくても、収納孔部１内に線材を直接差し込むことによって収納することもできる。また、前記収納孔部１は、軟質性本体２に複数設けたものとしてもよい。さらに、前記収納孔部１の両側には、小径の補助収納孔部５が設けられており、線樋に多数本の線材を敷設する場合には、この補助収納孔部５にも補助的に線材が収納されるようにしている。
【００１９】
軟質性本体２は、図１〜７に示したものでは、断面形状が三角状の低い山形状としており、図８に示したものでは、断面形状が円弧状の低い山形状としており、何れも上面２ａの頂部ｔの左右に緩い勾配面ｓ、ｓを有したものとし、床に敷いた場合に人が踏んでも違和感が少なく、引っ掛かりにくく、乗り越えやすいようにしている。
【００２０】
さらに、軟質性本体２は、図９、１０に示したものでは、断面形状が台形状の低い山形状としており、上面２ａの平面部ｆの左右に緩い勾配面ｓ、ｓを有したものとし、図１〜７に示したものと同様、床に敷いた場合に人が踏んでも違和感が少なく、引っ掛かりにくく、乗り越えやすいようにしている。
【００２１】
硬質性補強体３は、図１、２に示したものでは、断面形状が円形の管状に形成しており、図３に示したものでは、断面形状が長円形の管状に形成している。図２、３に示した硬質性補強体３の下部には、収納孔部１内に線材を入れ込むための開口６を、前記収納孔部１の開口４内に位置するようにして形成したものとしている。なお、硬質性補強体３の下部には、このような開口６を設けなくても、収納孔部１内に線材を直接差し込むことによって収納することもできる。
【００２２】
さらに、硬質性補強体３は、図４、５に示したものでは、断面形状がコ字状の樋状に形成しており、開口６を形成したものとしている。図４に示した硬質性補強体３は、開口６を下方にして前記収納孔部１の開口４内に位置するようにして形成しており、この開口６から収納孔部１内に線材を入れ込むようにしている。図５に示した硬質性補強体３は、開口６を上方にして前記収納孔部１内に形成しており、図６に示したように、収納孔部１の開口４を広げるようにして軟質性本体２を曲げ、この軟質性本体２から硬質性補強体３を外して、その開口６から線材を入れ込み、再びこの硬質性補強体３を軟質性本体２に戻すようにしている。
【００２３】
また、硬質性補強体３は、図８に示したものでは、断面形状が円形の管状に形成している。この硬質性補強体３の上部には、収納孔部１内に線材を入れ込むための開口６を、前記収納孔部１の開口４内に位置するようにして形成したものとしている。なお、硬質性補強体３の上部には、前記開口６を設けなくても、収納孔部１内に線材を直接差し込むことによって収納することもできる。
【００２４】
さらに、硬質性補強体３は、図９に示したものでは、断面形状が円形の管状に形成している。この硬質性補強体３の下部には、収納孔部１内に線材を入れ込むための開口６を、前記収納孔部１の開口４内に位置するようにして形成したものとしている。図示したものでは、収納孔部１を軟質性本体２に２個設けたものとしているので、前記硬質性補強体３をそれぞれの収納孔部１の内壁１ａに付設したものとしている。なお、硬質性補強体３の下部には、前記開口６を設けなくても、収納孔部１内に線材を直接差し込むことによって収納することもできる。
【００２５】
また、硬質性補強体３は、図７に示したものでは、断面形状が三角の長屋根状に形成しており、図１０に示したものでは、断面形状が台形の長屋根状に形成している。図７、１０に示した硬質性補強体３の下部には、収納孔部１内に線材を入れ込むための開口６を、前記収納孔部１の開口４内に位置するようにして形成したものとしている。
【００２６】
なお、前記硬質性補強体３を、図４〜７、１０に示したように、樋状や長屋根状に形成すれば、収納孔部１が広くなり、より多数本の線材や大径の線材をその収納孔部１に収納できるものとなる。
【００２７】
さらに、この発明の線樋は、軟質性本体２の下面２ｂには、床や壁等へ貼着しておけるように、図示していないが、貼着剤を塗布したり、両面貼着テープを設けたりしておくことができる。また、これら貼着剤や両面貼着テープは、保管時などに他の個所に引っ付かないように、剥離紙で被覆しておくことができる。また、この発明の線樋は、前記軟質性本体２と硬質性補強体３とを異質複合同時押出成形にて一体化することにより、軟質性本体２の収納孔部１の内壁１ａに硬質性補強体３を付設したものとしてもよいが、それぞれを別体として押出成形し、軟質性本体２の収納孔部１の内壁１ａに硬質性補強体３を貼着したり、嵌め込むことによって付設するようにしてもよい。
【００２８】
以上のように構成したこの発明の線樋は、線材を直接差し込んだり、開口６から入れ込んで、軟質性本体２の収納孔部１内に収納し、軟質性本体２の下面２ｂに塗布した貼着剤や、これらに設けた両面貼着テープに被覆した剥離紙を剥がし、一般事務所や展示会場の床面、壁面等へ貼着しておくことができる。
【００２９】
このようにすると、この発明の線樋は、軟質性本体２の上面２ａに物が当たったり、軟質性本体２の上面２ａが踏みつけられたりした場合も衝撃が緩和され、騒音も防止することができる。さらに、硬質性補強体３によって、線材の収納孔部１が強度性に優れたものとなり、外的な応力から十分に線材を保護することができる。また、硬質性補強体３によって強度性に優れたものとなった収納孔部１は大きくすることができ、多数本の線材や大径の線材もその収納孔部１に収納できるようになる。
【図面の簡単な説明】
【００３０】
【図１】この発明の線樋の一実施形態を示す一部斜視図である。
【図２】この発明の線樋の他の実施形態を示す一部斜視図である。
【図３】この発明の線樋のさらに他の実施形態を示す一部斜視図である。
【図４】この発明の線樋のさらに他の実施形態を示す一部斜視図である。
【図５】この発明の線樋のさらに他の実施形態を示す一部斜視図である。
【図６】図５に示すこの発明の線樋の軟質性本体から硬質性補強体を外す状態を示す説明図である。
【図７】この発明の線樋のさらに他の実施形態を示す一部斜視図である。
【図８】この発明の線樋のさらに他の実施形態を示す一部斜視図である。
【図９】この発明の線樋のさらに他の実施形態を示す一部斜視図である。
【図１０】この発明の線樋のさらに他の実施形態を示す一部斜視図である。
【図１１】従来の線樋の一例を示す断面図である。
【符号の説明】
【００３１】
１  収納孔部
１ａ  内壁
２  軟質性本体
２ａ  上面
３  硬質性補強体
４  開口
６  開口
ｔ  頂部
ｓ  勾配面
【図１】
2006121766.tif 000003
【図２】
2006121766.tif 000004
【図３】
2006121766.tif 000005
【図４】
2006121766.tif 000006
【図５】
2006121766.tif 000007
【図６】
2006121766.tif 000008
【図７】
2006121766.tif 000009
【図８】
2006121766.tif 000010
【図９】
2006121766.tif 000011
【図１０】
2006121766.tif 000012
【図１１】
2006121766.tif 000013